(57)【要約】【課題】ネジや係合凹部を用いずに、取付部材の抜けを防止することができる構成を有した照明装置を提供する。【解決手段】  造営材に設けられた埋め込み孔に挿入されて造営材に取り付けられる照明装置であって、造営材に取り付けるための複数の取付部材と、筒状部と複数の第１移動規制部とを有する装置本体と、第２移動規制部材とを備える。複数の第１移動規制部は、筒状部の側周面上に、筒状部の周方向に互いに間隔を開けて設けられており、複数の取付部材の、前記周方向における移動、前記挿入方向とは反対側への移動、および前記側周面から外方に離れる方向の移動を規制する。第２移動規制部材は、装置本体の前記挿入方向側の端部において装置本体の外側に取り付けられており、複数の取付部材のうち少なくとも１つの取付部材の前記挿入方向側の端部に前記挿入方向側から接して、少なくとも１つの取付部材の前記挿入方向側への移動を規制する。【選択図】図１
2014212004.tif 000002
【特許請求の範囲】
【請求項１】
造営材に設けられた埋め込み孔に挿入されて前記造営材に取り付けられる照明装置であって、
前記造営材に取り付けるための複数の取付部材と、
筒状部と、前記筒状部の側周面上に、前記筒状部の周方向に互いに間隔を開けて設けられ、前記複数の取付部材の、前記周方向における移動、前記挿入方向とは反対側への移動、および前記側周面から外方に離れる方向の移動を規制する複数の第１移動規制部と、を有する装置本体と、
前記装置本体の前記挿入方向側の端部において前記装置本体の外側に取り付けられ、前記複数の取付部材のうち少なくとも１つの取付部材の前記挿入方向側の端部に前記挿入方向側から接して、前記少なくとも１つの取付部材の前記挿入方向側への移動を規制する第２移動規制部と、を備える
ことを特徴とする照明装置。
【請求項２】
前記少なくとも１つの取付部材の移動を規制する前記第１移動規制部は、前記少なくとも１つの取付部材の前記挿入方向側への移動は許容し、
前記少なくとも１つの取付部材以外の前記取付部材の移動を規制する前記第１移動規制部は、前記少なくとも１つの取付部材以外の前記取付部材の前記挿入方向側への移動を規制する
ことを特徴とする請求項１に記載の照明装置。
【請求項３】
前記装置本体に取り付けられた光源としての発光部をさらに備え、
前記第２移動規制部は、前記発光部を発光させるための電力を前記発光部に供給する電源ユニットである
ことを特徴とする請求項１または２に記載の照明装置。
【請求項４】
前記装置本体は、前記挿入方向側の端部に開口を有し、
前記第２移動規制部は、前記開口を封口する板状の天板部材である
ことを特徴とする請求項１または２に記載の照明装置。
【請求項５】
前記取付部材は、前記第１移動規制部に接触して直接移動が規制される取付片部を有し、
前記取付片部は、前記第１移動規制部により移動が規制された状態において、前記挿入方向側に位置する幅広部分と、前記幅広部分の前記挿入方向とは反対側に隣接し、前記幅広部分よりも幅の狭い幅細部分とから成り、
前記第１移動規制部は、前記筒状部の筒軸に沿った方向に長尺な一対のレール部材から成り、
前記一対のレール部材は、前記側周面から外方に延出し、前記筒状部の周方向に互いに間隔を開けて対向配置された一対の側壁部分と、前記一対の側壁部分それぞれの先端から前記筒状部の周方向に沿って互いに近づく方向に延出する前壁部分とから成り、
前記前壁部分の厚みは、前記挿入方向側の領域においては、前記側壁部分の前記側周面から外方に延出する方向における長さよりも小さく、前記前壁部分と前記側周面との間の隙間により溝部分が形成されており、前記挿入方向とは反対側の領域においては、前記側壁部分の前記側周面から外方に延出する方向における長さと同じであり、前記前壁部分と、前記側周面と、前記側壁部分とが一体化して前記溝部分との境目部分に溝底を形成しており、
前記溝部分内に前記幅広部分の両側縁部が位置した状態で、
前記側壁部分は、前記幅広部分の前記両側縁部に前記周方向側からと接触して、前記取付部材の前記周方向の移動を規制し、
前記前壁部分は、前記幅広部分の前記両側縁部に前記側周面の外方側から接触して、前記取付部材の前記側周面から外方に離れる方向の移動を規制し、
前記溝底は、前記幅広部分と前記幅細部分との境目の段差である肩部分に前記挿入方向とは反対側から接触して、前記取付部材の前記挿入方向とは反対側への移動を規制する
ことを特徴とする請求項１から４の何れか１項に記載の照明装置。
【請求項６】
前記取付部材は、前記取付片部分の前記挿入方向とは反対側に連設され、前記側周面から外方に離れる方向に延出するアーム部を有し、
前記アーム部は、前記取付片部に連設されている部分である連設領域を中心にして前記取付片部に対して近接する方向および遠ざかる方向に変位可能であり、前記取付片部に近接する状態においては、前記取付片部から遠ざかる方向に付勢されている
ことを特徴とする請求項１から５の何れか１項に記載の照明装置。
【請求項７】
前記取付部材は、板バネである
ことを特徴とする請求項６に記載の照明装置。
【請求項８】
前記取付部材は、ワイヤーを湾曲または屈曲させて形成されている
ことを特徴とする請求項６に記載の照明装置。
【請求項９】
前記取付片部および前記アーム部は、剛性を有する板状の部材から成り、
前記アーム部は、前記連設領域を中心にして回動可能に前記取付片部に連設されており、
前記取付部材は、前記アーム部が前記取付片部に近接する状態において、前記アーム部を前記取付片部から遠ざかる方向に付勢する付勢部材を有する
ことを特徴とする請求項６に記載の照明装置。
【請求項１０】
前記筒状部の前記挿入方向とは反対側の端部において前記側周面から径外方向に延設されたフランジ部を有し、
前記アーム部が前記取付片部に近接した状態で前記埋め込み孔に挿入された場合に、
前記フランジ部は、前記造営材のおもて面に接し、
前記アーム部は、前記造営材の内部において前記付勢により前記取付片部から遠ざかる方向へと回動して前記造営材の裏面または前記埋め込み孔の側面に接している
ことを特徴とする請求項６から９の何れか１項に記載の照明装置。
【発明の詳細な説明】
【技術分野】
【０００１】
本発明は、天井等の造営材に設けられた埋め込み孔に挿入される埋め込み型照明装置に関し、特に造営材に取り付けるための取付部材の固定構造に関する。
【背景技術】
【０００２】
従来、天井等の造営材に設けられた埋め込み孔に挿入されて取り付けられる照明装置が採用されている。このような照明装置には、筒状の装置本体の側周面に互いに周方向に間隔を開けて複数の取付バネ（取付部材）が取り付けられた構成を有し、取付バネの弾性力を利用して造営材に取り付けられるものがある（例えば、特許文献１および２）。
各取付バネは、例えば、特許文献１においては、装置本体の側周面に設けられた一対のレール状の部材間に挟まれるように配置されて周方向の移動が規制され、上方向および装置本体の側周面から外方に離れる方向に抜けないように、ネジにより装置本体に固定されている。
【０００３】
また、特許文献２においては、一対のレール部材に取付バネが挟まれて周方向および外方に離れる方向の移動が規制され、上方向への抜け防止には、取付バネに設けられた爪状部分と、装置本体の側周面に設けられた凹部との係合構造が利用されている。
【先行技術文献】
【特許文献】
【０００４】
【特許文献１】特開２００７−３１７５４９号公報
【特許文献２】特開２０１０−２７７７６４号公報
【発明の概要】
【発明が解決しようとする課題】
【０００５】
上記のような照明装置においては、複数の取付バネは、平面視で異なる複数の方向を向くように、装置本体の側周面に取り付けられている。これにより、造営材（の埋め込み孔の側面および埋め込み孔の周辺部分）に対して取付バネの弾性力が異なる複数の方向に働き、照明装置がより安定して造営材に取り付けられる。
ところが、上記の場合、ネジ孔や係合凹部も互いに異なる複数の方向に凹入するように形成されることになる。
【０００６】
ネジ孔の場合は、装置本体を金型で形成した後に、その側周面にネジ孔を形成する工程が必要となる。さらに、ネジという別部材が必要であり、また、ネジを締結する作業工程が必要となるため、部品点数および工程数が増加し、コストアップおよび作業効率の低下を引き起こす原因となる。
係合凹部の場合は、金型の係合凹部を形成する部分の抜け方向は、装置本体の筒部分の金型の抜け方向とは異なるため、通常、スライド金型が用いられる。しかし、スライド金型を用いる場合は、スライド部分を形成しなくてはならない分、通常の金型よりも製作にコストがかかる。
【０００７】
従って、ネジ孔や係合凹部が多いほどコストアップや作業効率の低下を引き起こすこととなる。
本発明は、上記問題点に鑑み、ネジや係合凹部を用いずに、取付部材の抜けを防止することができる構成を有した照明装置を提供することを目的とする。
【課題を解決するための手段】
【０００８】
上記目的を達成するために、本発明の一態様に係る照明装置は、造営材に設けられた埋め込み孔に挿入されて前記造営材に取り付けられる照明装置であって、前記造営材に取り付けるための複数の取付部材と、筒状部と、前記筒状部の側周面上に、前記筒状部の周方向に互いに間隔を開けて設けられ、前記複数の取付部材の、前記周方向における移動、前記挿入方向とは反対側への移動、および前記側周面から外方に離れる方向の移動を規制する複数の第１移動規制部と、を有する装置本体と、前記装置本体の前記挿入方向側の端部において前記装置本体の外側に取り付けられ、前記複数の取付部材のうち少なくとも１つの取付部材の前記挿入方向側の端部に前記挿入方向側から接して、前記少なくとも１つの取付部材の前記挿入方向側への移動を規制する第２移動規制部と、を備えることを特徴とする。
【０００９】
また、別の態様では、前記少なくとも１つの取付部材の移動を規制する前記第１移動規制部は、前記少なくとも１つの取付部材の前記挿入方向側への移動は許容し、前記少なくとも１つの取付部材以外の前記取付部材の移動を規制する前記第１移動規制部は、前記少なくとも１つの取付部材以外の前記取付部材の前記挿入方向側への移動を規制してもよい。
【００１０】
また、別の態様では、前記装置本体に取り付けられた光源としての発光部をさらに備え、前記第２移動規制部は、前記発光部を発光させるための電力を前記発光部に供給する電源ユニットであってもよい。
また、別の態様では、前記装置本体は、前記挿入方向側の端部に開口を有し、前記第２移動規制部は、前記開口を封口する板状の天板部材であってもよい。
【００１１】
また、別の態様では、前記取付部材は、前記第１移動規制部に接触して直接移動が規制される取付片部を有し、前記取付片部は、前記第１移動規制部により移動が規制された状態において、前記挿入方向側に位置する幅広部分と、前記幅広部分の前記挿入方向とは反対側に隣接し、前記幅広部分よりも幅の狭い幅細部分とから成り、前記第１移動規制部は、前記筒状部の筒軸に沿った方向に長尺な一対のレール部材から成り、前記一対のレール部材は、前記側周面から外方に延出し、前記筒状部の周方向に互いに間隔を開けて対向配置された一対の側壁部分と、前記一対の側壁部分それぞれの先端から前記筒状部の周方向に沿って互いに近づく方向に延出する前壁部分とから成り、前記前壁部分の厚みは、前記挿入方向側の領域においては、前記側壁部分の前記側周面から外方に延出する方向における長さよりも小さく、前記前壁部分と前記側周面との間の隙間により溝部分が形成されており、前記挿入方向とは反対側の領域においては、前記側壁部分の前記側周面から外方に延出する方向における長さと同じであり、前記前壁部分と、前記側周面と、前記側壁部分とが一体化して前記溝部分との境目部分に溝底を形成しており、前記溝部分内に前記幅広部分の両側縁部が位置した状態で、前記側壁部分は、前記幅広部分の前記両側縁部に前記周方向側からと接触して、前記取付部材の前記周方向の移動を規制し、前記前壁部分は、前記幅広部分の前記両側縁部に前記側周面の外方側から接触して、前記取付部材の前記側周面から外方に離れる方向の移動を規制し、前記溝底は、前記幅広部分と前記幅細部分との境目の段差である肩部分に前記挿入方向とは反対側から接触して、前記取付部材の前記挿入方向とは反対側への移動を規制してもよい。
【００１２】
また、別の態様では、前記取付部材は、前記取付片部分の前記挿入方向とは反対側に連設され、前記側周面から外方に離れる方向に延出するアーム部を有し、前記アーム部は、前記取付片部に連設されている部分である連設領域を中心にして前記取付片部に対して近接する方向および遠ざかる方向に変位可能であり、前記取付片部に近接する状態においては、前記取付片部から遠ざかる方向に付勢されていてもよい。
【００１３】
また、別の態様では、前記取付部材は、板バネであってもよい。
また、別の態様では、前記取付部材は、ワイヤーを湾曲または屈曲させて形成されていてもよい。
また、別の態様では、前記取付片部および前記アーム部は、剛性を有する板状の部材から成り、前記アーム部は、前記連設領域を中心にして回動可能に前記取付片部に連設されており、前記取付部材は、前記アーム部が前記取付片部に近接する状態において、前記アーム部を前記取付片部から遠ざかる方向に付勢する付勢部材を有してもよい。
【００１４】
また、別の態様では、前記筒状部の前記挿入方向とは反対側の端部において前記側周面から径外方向に延設されたフランジ部を有し、前記アーム部が前記取付片部に近接した状態で前記埋め込み孔に挿入された場合に、前記フランジ部は、前記造営材のおもて面に接し、前記アーム部は、前記造営材の内部において前記付勢により前記取付片部から遠ざかる方向へと回動して前記造営材の裏面または前記埋め込み孔の側面に接していてもよい。
【発明の効果】
【００１５】
本発明の一態様に係る照明装置の構成によれば、第２移動規制部により取付部材の挿入方向側への移動が規制されて取付部材の抜け止めが成されている。従って、爪状部材と凹部との係合構造やネジ留めにより抜け止めを行う場合に装置本体の側周面に形成される横穴であるネジ穴や係合凹部の個数を、その分少なくすることができる。これにより、装置本体を形成するための金型のスライド数を低減することができ、コスト削減に資することができる。
【図面の簡単な説明】
【００１６】
【図１】実施形態１に係る照明装置１００の斜め後方から見た外観斜視図である。
【図２】照明装置１００の斜め前方から見た外観斜視図である。
【図３】照明装置１００の側面図である。
【図４】照明装置１００の断面図である。
【図５】照明装置１００の分解斜視図である。
【図６】照明装置１００における取付部材３０ａの取付部材取付部２４ａへの取り付け方法を示す斜視図である。（ａ）は、取付部材３０ａが取付部材取付部２４ａに配置される前の状態を示す斜視図である。（ｂ）は、取付部材３０ａが取付部材取付部２４ａに配置され、電源ユニット４０が装置本体２０に取り付けられる前の状態を示す斜視図である。（ｃ）は、電源ユニット４０が装置本体２０に取り付けられた状態を示す斜視図である。
【図７】照明装置１００の天井１への取り付け方法を示す一部断面図である。（ａ）は、照明装置１００の電源ユニット４０が天井１の埋め込み孔１ａ内に挿入された状態を示す一部断面図である。（ｂ）は、装置本体２０の大部分が埋め込み孔１ａ内に挿入された状態を示す一部断面図である。（ｃ）は、照明装置１００の天井１への取り付けが完了した状態を示す一部断面図である。
【図８】実施形態２に係る照明装置２００の斜め後方から見た斜視図である。
【図９】照明装置２００の分解斜視図である。
【発明を実施するための形態】
【００１７】
以下、本発明を実施するための形態を、図面を参照して詳細に説明する。なお、各図は、模式図であり、図面に示された部品等の各構成要素の形状や寸法および比等については、必ずしも厳密に図示したものではない。
≪実施形態１≫
［１．全体構成］
図１は、照明装置１００を斜め後方から見た場合の斜視図である。図２は、照明装置１００を斜め前方から見た場合の斜視図である。図３は、照明装置１００の側面図である。図４は、照明装置１００の内部構成を模式的に示す分解斜視図である。図５は、照明装置１００の分解斜視図である。なお、図１〜５においては、紙面上方を後方、紙面下方を前方とする。照明装置１００においては、光は主に前方に出射される。
【００１８】
図１〜５に示すように、照明装置１００は、その主な構成として、発光部１０、装置本体２０、取付部材３０、電源ユニット４０、および天板部材５０等を備える。なお、取付部材３０には、形状が互いに異なる取付部材３０ａと取付部材３０ｂの２種類があるが、この２つを特に区別する必要が無い場合は、単に「取付部材３０」という。
照明装置１００は、例えば、一般家屋やビルの天井などに取り付けられる、所謂ダウンライトである。
【００１９】
［２．各部構成］
（１）発光部１０
発光部１０は、背の低い円柱状（または、厚みの厚い円板状）であり、例えば、ＬＥＤ（Ｌｉｇｈｔ  Ｅｍｉｔｔｉｎｇ  Ｄｉｏｄｅ）を光源として備える。図４に示すように、発光部１０には、配線９２の一端が接続されており、配線９２の他端には、コネクタ９３が取り付けられている。
【００２０】
（２）装置本体２０
装置本体２０は、全体として筒状の部材である。装置本体２０は、筒状部２１と、筒状部２１の前端２２（挿入方向とは反対側の端部）において径外方向に延設されたフランジ部２３と、取付部材３０が取り付けられる取付部材取付部（第１移動規制部）２４ａおよび２４ｂから成る。
【００２１】
筒状部２１は、前方側の大径部分２１ａ、大径部分２１ａの後方側に連設された小径部分２１ｂ、大径部分２１ａと小径部分２１ｂとの接合部分である段底部分２１ｃ、および、段底部分２１ｃ上に形成されたスペーサ部分２１ｄとで構成されている。なお、図５において、一点鎖線の直線は、装置本体２０の筒状部２１の筒軸Ｊを表す。大径部分２１ａの内部には、発光部１０が配置され、ネジ９１により段底部分２１ｃに固定されている。
【００２２】
スペーサ部分２１ｄは、電源ユニット４０が装置本体２０に取り付けられた際に、電源ユニット４０と発光部１０との間に間隔を開けるために設けられている。これにより、電源ユニット４０および発光部１０において発生する熱が互いに及ぼす影響を軽減することができる。
大径部分２１ａの側周面２１ｅ上には、取付部材３０を保持するための取付部材取付部２４ａが２個、取付部材取付部２４ｂが１個、合計３個の取付部材取付部２４が、筒状部２１の周方向において互いに間隔を開けて（本実施形態においては、略等間隔を開けて）設けられている。なお、取付部材取付部２４ａと２４ｂとを特に区別する必要が無い場合には、単に「取付部材取付部２４」という。
【００２３】
取付部材取付部２４ａは、筒軸Ｊに沿った方向に長尺な一対のレール部材２４ａ１，２４ａ２から成る。レール部材２４ａ１は、側壁部分２４ａ１ａと前壁部分２４ａ１ｂとから成る。側壁部分２４ａ１ａは、筒状部２１の筒軸Ｊに沿った方向に長尺で、筒状部２１の側周面２１ｅから外方（径外方向）に延出している。前壁部分２４ａ１ｂは、側壁部分２４ａ１ａの先端２４ａ１ａ１から筒状部２１の周方向においてレール部材２４ａ２に近づく方向に延出している。前壁部分２４ａ１ｂは、後方側の部分においてはその厚みが側壁部分２４ａ１ａの高さ（筒状部２１の径外方向における長さ）よりも小さく、側周面２１ｅと前壁部分２４ａ１ｂとの間の隙間により、溝部分２４ａ１ｃが形成されている。前壁部分２４ａ１ｂの溝部分２４ａ１ｃよりも前方側の部分は、厚みが厚くなって側周面２１ｅとの間に隙間は存在せず、側周面２１ｅおよび側壁部分２４ａ１ａと一体化されている。当該一体化された部分と溝部分２４ａ１ｃとの境目が溝底２４ａ１ｄとなっている。
【００２４】
レール部材２４ａ２は、レール部材２４ａ１とは左右反対で同じ構成を有する所謂鏡像関係にあり、側壁部分２４ａ２ａおよび前壁部分２４ａ２ｂから成り、溝部分２４ａ２ｃおよび溝底（不図示）を有する。レール部材２４ａ２は、レール部材２４ａ１と平行に側周面２１ｅ上に形成されている。
取付部材取付部２４ｂは、レール部材２４ｂ１，２４ｂ２、および係合凹部２４ｂ３から成る。レール部材２４ｂ１および２４ｂ２は、それぞれレール部材２４ａ１および２４ａ２と同様の構成を有している。係合凹部２４ｂ３は、レール部材２４ｂ１と２４ｂ２との間における側周面２１ｅに形成された、内側（筒状部２１の径内方向）に凹入する凹部である。
【００２５】
小径部分２１ｂは、大径部分２１ａよりも径の小さな円筒を縦に半分にしたような半円筒形状をしている。筒状部２１の後端２５（小径部分２１ｂの後端であり、装置本体２０の後端でもある）は開口している。
（３）取付部材３０
取付部材３０は、照明装置１００を天井等に取り付けるための部材であり、側面視においてＬ字状に曲げられた金属製の板バネである。取付部材３０は、装置本体２０の取付部材取付部２４に１つずつ取り付けられる。本実施形態においては、装置本体２０は３個の取付部材取付部２４を有しており、取付部材３０も３個である。３個の取付部材３０のうちの１個は、残りの２個とは形状が若干異なっている。
【００２６】
残りの２個である取付部材３０ａは、取付片部３１ａ、アーム部３２ａ、および連設部３３ａとから構成されている。取付片部３１ａは、Ｌ字の縦線部分に相当する部分であり、取付部材取付部２４に直接取り付けられる部分である。取付片部３１ａの後方側の部分である幅広部分３１ａ１は、前方側の部分である幅細部分３１ａ２よりも幅が広くなっており、その境目部分である段差が肩部分３１ａ３となっている。取付片部３１ａの後端３１ａ４は、折り曲げられて、取付部材取付部２４に取り付けられた場合に筒軸Ｊと略直交する平面となっている。
【００２７】
アーム部３２ａは、Ｌ字の横線部分に相当する部分であり、取付部材取付部２４に取り付けられた際に装置本体２０の外方に位置する部分である。アーム部３２ａは、また、天井の埋め込み孔に取り付けられた際に、埋め込み孔の側面または天井板の裏面に接触して、照明装置１００が天井に保持されるようにする。連設部３３ａは、Ｌ字の角に相当する部分であり、取付片部３１ａとアーム部３２ａとは、連設部３３ａを介して結合されている。
【００２８】
形状が異なる１個である取付部材３０ｂもまた、取付片部３１ｂとアーム部３２ｂとが連設部３３ｂを介して結合されたＬ字形の板バネ部材である点は、取付部材３０ａと同じである。取付部材３０ｂは、次の３つの点において取付部材３０ａと異なっている。１つ目は、取付片部に爪部分３１ｂ５が形成されている点である。２つ目は、後端に筒軸Ｊと直交する平面が形成されていない点である。３つ目は、取付片部３１ｂの長さ（筒軸Ｊに沿負った方向の長さ）が、取付片部３１ａの長さよりも短い点である。上記３点以外の点においては、取付部材３０ａと取付部材３０ｂとは、基本的な構成は同じである。爪部分３１ｂ５は、取付部材３０ｂが取付部材取付部２４ｂに取り付けられた場合に、その先端が筒状部２１の内側（径内方向）に突出する形状となっている。
【００２９】
なお、取付部材３０ａ，３０ｂを構成する各部分の符号に付されているアルファベット（ａ，ｂ）は、それぞれどちらの取付部材に対応しているかに従って付されているが、特に区別する必要が無い場合には、アルファベット（ａ，ｂ）を付さない。例えば、アーム部３２ａと３２ｂとを特に区別する必要が無い場合には、単に「アーム部３２」という。
（４）電源ユニット４０
電源ユニット４０は、電源ユニット本体部４１およびコネクタ４２から成り、発光部１０を発光させるための電力を発光部１０に供給する。
【００３０】
図４に示すように、電源ユニット本体部４１は、コンデンサやチョークコイル等の各種電子部品が基板上に実装されて成る回路ユニット４１ａがケース４１ｂ内に収容されて成る。コネクタ４２は、天井裏等に配設された電気配線に接続されて外部から電力を受けとるための部材である。回路ユニット４１ａには配線９４の一端が接続されており、配線９４の他端にはコネクタ９５が取り付けられている。コネクタ９５とコネクタ９３が接続されることにより、回路ユニット４１ａと発光部１０とが電気的に接続される。
【００３１】
（５）天板部材５０
天板部材５０は、筒状部２１の後端２５における開口２５ａを塞ぐ封口板部５１と、封口板部５１に連設され、電源ユニット本体部４１に固定される固定部５２とで構成されている。封口板部５１は、ネジ９６により筒状部２１の後端２５に取り付けられている。天板部材５０は、例えば、アルミやステンレス等の金属材料や樹脂材料から一体的に形成されている。
【００３２】
［３．取付部材の装置本体への取り付け］
（３−１．取付部材３０ａの装置本体への取り付け）
図６（ａ）は、取付部材３０ａが取付部材取付部２４ａに配置される前の状態を示す斜視図である。図６（ｂ）は、取付部材３０ａが取付部材取付部２４ａに配置され、電源ユニット４０および天板部材５０が装置本体２０に取り付けられる前の状態を示す斜視図である。図６（ｃ）は、電源ユニット４０および天板部材５０が装置本体２０に取り付けられた状態を示す斜視図である。
【００３３】
図６（ａ），（ｂ）に示すように、取付部材３０ａの取付片部３１ａがレール部材２４ａ１と２４ａ２との間に差し込まれ、取付片部３１ａの両側縁部３１ａ１ａが溝部分２４ａ１ｃおよび２４ａ２ｃ内に位置する。このとき、側壁部分２４ａ１ａおよび２４ａ２ａが側縁部３１ａ１ａに当たり（接触して）、取付部材３０ａの周方向（筒状部２１の周方向）の移動が規制される。また、前壁部分２４ａ１ｂおよび２４ａ２ｂが側縁部３１ａ１ａに当たり、取付部材３０ａの外方（筒状部２１の径外方向であって、側周面２１ｅから離れる方向）への移動が規制される。さらに、取付片部３１ａの肩部分３１ａ３がレール部材２４ａ１の溝底２４ａ１ｄおよびレール部材２４ａ２の溝底（不図示）に当たって、取付部材３０ａの前方側への移動が規制される。
【００３４】
そして、電源ユニット４０および天板部材５０が、ネジ９６により装置本体２０に取り付けられる。すると、図６（ｃ）に示すように、電源ユニット本体部４１が取付部材３０ａを上から押さえつけるように、電源ユニット本体部４１の前面４１ｃが取付部材３０ａの後端３１ａ４に後方側から接する。これにより、取付部材３０ａの後方側への移動が規制され、抜け防止が達成される。即ち、電源ユニット４０は、取付部材３０ａの後方への移動を規制する移動規制部（第２移動規制部）として機能している。
【００３５】
なお、取付部材３０ａの抜けを防止することのみを考える場合には、後端３１ａ４が前面４１ｃに必ずしも常時接触していなくてもよく、後端３１ａ４と前面４１ｃとの間に隙間が開いていてもよい。その場合、後端３１ａ４が前面４１ｃに接触するまで取付部材３０ａが後方側に移動された際に、取付片部３１ａがレール部材２４ａ１，２４ａ２から外れない程度の大きさの隙間であればよい。
【００３６】
本実施形態においては、取付部材３０ａのガタつきを防ぐために、電源ユニット本体部４１の前面４１ｃと取付部材３０ａの後端３１ａ４とは常時接触している。従って、スペーサ部分２１ｄの分だけ、取付部材３０ａの取付片部３１ａの長さは、取付部材３０ｂの取付片部３１ｂの長さよりも長くなっている。
（３−２．取付部材３０ｂの取付部材取付部２４ｂへの取り付け）
取付部材３０ｂの取付部材取付部２４ｂへの取り付け方法は、特許文献３に開示された従来の取付バネ（取付部材）の取り付け方法と同様である。即ち、取付部材３０ｂの取付片部３１ｂがレール部材２４ｂ１と２４ｂ２との間に差し込まれて、両側縁部３１ｂ１ａが溝部分２４ｂ１ｃおよび２４ｂ２ｃ内に位置する。このとき、取付部材３０ｂの周方向（筒状部２１の周方向）の移動および外方（筒状部２１の径外方向であって、側周面２１ｅから離れる方向）への移動が規制される。また、取付片部３１ｂの肩部分３１ｂ３がレール部材２４ｂ１，２４ｂ２の溝底に当たり、取付部材３０ｂの前方への移動が規制される。（図５においては、レール部材２４ｂ２の溝底２４ｂ２ｄのみ図示している。）このとき、取付片部３１ｂに設けられた爪部分３１ｂ５が、側周面２１ｅに設けられた係合凹部２４ｂ３に嵌り込み、爪部分３１ｂ５と係合凹部２４ｂ３とが互いに係合する。これにより、取付部材３０ｂの後方への移動が規制され、取付部材３０ｂの抜け防止が成される。
【００３７】
［４．照明装置の天井への取り付け］
照明装置１００の天井への取り付け方法について、図面を参照しながら以下に説明する。図７（ａ）は、照明装置１００の電源ユニット４０が天井１の埋め込み孔１ａ内に挿入された状態を示す一部断面図である。図７（ｂ）は、装置本体２０の大部分が埋め込み孔１ａ内に挿入された状態を示す一部断面図である。図７（ｃ）は、照明装置１００のフランジ部２３以外の部分が埋め込み孔１ａ内に挿入されて照明装置１００が天井１に取り付けられた状態を示す一部断面図である。なお、図７（ａ），（ｂ），（ｃ）においては、照明装置１００については、断面としていない。
【００３８】
図７（ａ）に示すように、照明装置１００は、後方側（電源ユニット４０側）から天井１の埋め込み孔１ａ内に挿入される。即ち、後方側が挿入方向側である。このとき、取付部材３０は、アーム部３２が筒状部２１の側周面２１ｅに近接するように曲げられている。こうすることにより、図７（ｂ）に示すように、アーム部３２が埋め込み孔１ａに引っかからずに照明装置１００を埋め込み孔１ａ内に挿入することができる。そして、図７（ｃ）に示すように、フランジ部２３が天井１のおもて面１ｂに接して照明装置１００の挿入方向への移動が規制されるとともに、アーム部３２が自身の弾性力によって側周面２１ｅから離れる方向に移動し、埋め込み孔１ａの側面１ｄに接する。このとき、照明装置１００が自重により下方に落下しようとすると、側面１ｄによりアーム部３２が側周面２１ｅに近接する方向に取付部材３０が曲げられることとなる。しかし、取付部材３０は、自身の弾性力により、アーム部３２が側周面２１ｅから離れる方向に付勢されているため、照明装置１００は落下せずに、天井１に安定して取り付けられた状態を維持することができる。
【００３９】
なお、アーム部３２の形状や天井１の厚みによっては、アーム部３２が天井１の裏面１ｃに接する場合がある。この場合、フランジ部２３とアーム部３２とで天井１を挟持する態様となり、照明装置１００は天井１により安定して取り付けられる。
［５．実施形態１のまとめ］
以上説明したように、本実施形態に係る照明装置１００においては、取付部材３０ａは、電源ユニット４０に上から（後方側から、挿入方向側から）押さえられて抜け防止が成されている。従って、取付部材３０ａの装置本体２０への取り付けおよび抜け防止のために、装置本体２０にネジ穴や係合凹部を形成しなくてもよい。よって、筒状部２１の側周面２１ｅに形成される横穴であるネジ穴や係合凹部の個数を低減することができ、装置本体２０を形成するための金型のスライド数を低減することができる。これにより、コスト削減に資することができる。
【００４０】
≪実施形態２≫
実施形態１においては、電源ユニット４０が装置本体２０に取り付けられて、電源ユニット本体部４１により、取付部材３０ａの抜け防止が成されていた。しかし、これに限られない。
近年、調光機能を備えるなど、照明装置の多機能化が進んでいる。多機能化に伴い、電源ユニットの回路ユニットに搭載される電子部品の数が増加したり、サイズの大きな電子部品が搭載されたりして、電源ユニットのサイズが大きくなる場合がある。すると、天井等に設けられた埋め込み孔に挿入する際に、電源ユニットがつかえて挿入できなくなるという問題が発生することがある。
【００４１】
図８は、実施形態２に係る照明装置２００を斜め後方から見た斜視図である。図９は、照明装置２００の分解斜視図である。
なお、説明の重複を避けるため、実施形態１と同じ構成要素については、同符号を付して、その説明を省略する。以下、各変形例においても、同様である。
図８および図９に示すように、照明装置２００においては、電源ユニット２４０は装置本体２０に取り付けられておらず、天板部材２５０は電源ユニット２４０に取り付けられていない。電源ユニット２４０は、調光機能用の回路ユニットを備えており、実施形態１に係る照明装置１００の電源ユニット４０よりも長尺な形状となっている。
【００４２】
天板部材２５０は、封口板部２５１と、押さえ部２５２とから成る。封口板部２５１は、筒状部２１の開口２５ａを塞ぐ半円板状の部材であり、実施形態１の封口板部５１と基本的な構成は同じである。押さえ部２５２は、封口板部２５１から前方に延出するように連設された連設部分２５２ａ、連設部分２５２ａから水平方向に延出する押さえ板部分２５２ｂ、押さえ板部分２５２ｂから後方に延出するように連設された返し部分２５２ｃから成る。図８に示すように、天板部材２５０が装置本体２０に取りつけられた際に、押さえ板部分２５２ｂが取付部材３０ａの後端３１ａ４に接触し、取付部材３０ａの後方側への移動が規制される。
【００４３】
以上説明したように、実施形態２に係る照明装置２００の構成によっても、取付部材３０ａは天板部材２５０により上から（後方側から、挿入方向側から）押さえられて抜け防止が成されている。従って、実施形態１に係る照明装置１００と同様の理由により、装置本体２０の筒状部２１の側周面２１ｅに形成される横穴であるネジ穴や係合凹部の個数を低減することができ、装置本体２０を形成するための金型のスライド数を低減することができる。これにより、コスト削減に資することができる。
【００４４】
なお、照明装置２００を天井１の埋め込み孔１ａ（図７各図参照）に挿入して天井１に取り付ける際には、次のようにするとよい。先ず、電源ユニット２４０を埋め込み孔１ａから挿入して天井１の裏面１ｃ上に載置する。そして、残りの部分（天板部材２５０、取付部材３０、装置本体２０、発光部１０）を実施形態１の照明装置１００の場合と同様に後方側から埋め込み孔１ａ内に挿入して照明装置２００を天井１に取り付けるとよい。
【００４５】
≪変形例≫
以上、本発明の構成を、実施形態１および２に基づいて説明したが、本発明は上記各実施形態に限られない。例えば、以下のような変形例を実施することができる。
（変形例１）
実施形態１および２に係る照明装置１００および２００においては、発光部１０は、ＬＥＤを光源として備えていたが、これに限られない。白熱電球、蛍光灯、ＬＤ（レーザーダイオード；Ｌａｓｅｒ  Ｄｉｏｄｅ）、有機ＥＬ（Ｅｌｅｃｔｒｏ‐Ｌｕｍｉｎｅｓｃｅｎｃｅ）発光素子等を光源として用いてもよい。
【００４６】
（変形例２）
実施形態１および２に係る照明装置１００および２００は、発光部１０を備えていたが、これに限られない。発光部を備えずに、代わりに発光部を取り付けるためのソケットを備えた照明器具であってもよい。
（変形例３）
実施形態１および２においては、取付部材３０ａの後端３１ａ４は折り曲げられているが、これに限られない。電源ユニットまたは天板部材に接触して後方への移動が規制され、取付部材取付部２４ａへの取り付けを円滑に行うことができる限り、取付部材３０ａの後端の形状は特に問われない。
【００４７】
（変形例４）
実施形態２に係る天板部材２５０においては、押さえ部２５２の押さえ板部分２５２ｂは、封口板部２５１よりも前方側に位置しているが、これに限られない。例えば、押さえ板部分２５２ｂが封口板部２５１よりも後方側に位置していてもよいし、側面視で同じ高さ位置に配置されていてもよい。その場合、取付部材３０ａの取付片部３１ｂの長さは、後端３１ａ４が押さえ板部分２５２ｂに接触する長さとするのがよい。
【００４８】
（変形例５）
実施形態１および２に係る照明装置１００および２００においては、取付部材３０ａが２個で、取付部材３０ｂが１個であったが、これに限られない。照明装置が備える複数の取付部材のうちの少なくとも１個が取付部材３０ａであれば、その分、金型のスライド数を減らすことができる。従って、全ての取付部材が取付部材３０ａであってもよい。
【００４９】
（変形例６）
実施形態１では、電源ユニット本体部４１のケース４１ｂが取付部材３０ａの後端３１ａ４に後方側から接して取付部材３０ａの抜けを防止していたが、これに限られない。例えば、コネクタ４２が取付部材３０ａの後端３１ａ４に後方側から接して取付部材３０ａの抜けを防止してもよい。
【００５０】
（変形例７）
取付部材３０ａの後端３１ａ４に後方側から接して取付部材３０ａの抜けを防止するのは、実施形態１では電源ユニット４０であり、実施形態２では天板部材２５０であった。しかし、これに限られない。例えば、筒状部２１の後端２５にヒートシンク等の別部材が取り付けられる場合には、当該別部材が取付部材３０ａの後端３１ａ４に後方側から接して取付部材３０ａの抜け防止を行ってもよい。
【００５１】
（変形例８）
実施形態１および２においては、取付部材３０は、板バネであったが、取付部材３０の構成は、これに限られない。例えば、ワイヤー（針金）を湾曲または屈曲させて取付部材３０を形成してもよい。また、弾性を有さない板状の部材として形成された取付片部およびアーム部がヒンジ等により回動可能に接続され、アーム部がバネ等の付勢部材により取付片部から遠ざかる方向に付勢された構成としてもよい。
【００５２】
≪補足≫
以上、本発明の一態様としての実施形態および変形例について説明した。本発明の一態様の構成およびその効果は、以下のようにまとめることができる。
本発明の一態様に係る照明装置は、造営材（天井）１に設けられた埋め込み孔１ａに挿入されて造営材１に取り付けられる照明装置１００であって、造営材１に取り付けるための複数の取付部材３０と、筒状部２１と、筒状部２１の側周面２１ｅ上に、筒状部２１の周方向に互いに間隔を開けて設けられ、複数の取付部材３０の、前記周方向における移動、前記挿入方向（後方）とは反対側（前方）への移動、および側周面２１ｅから外方に離れる方向の移動を規制する複数の第１移動規制部（取付部材取付部）２４と、を有する装置本体２０と、装置本体２０の前記挿入方向側の端部（後端）２５において装置本体２０の外側に取り付けられ、複数の取付部材３０のうち少なくとも１つの取付部材３０ａの前記挿入方向側の端部（後端）３１ａ４に前記挿入方向側から接して、少なくとも１つの取付部材３０ａの前記挿入方向側への移動を規制する第２移動規制部（電源ユニット）４０と、を備えることを特徴とする。
【００５３】
上記構成によると、第２移動規制部４０により取付部材３０ａの挿入方向側への抜け止めが成されている。従って、爪状部材と凹部との係合構造やネジ留めにより抜け止めを行う場合に装置本体２０の側周面２１ｅに形成される横穴であるネジ穴や係合凹部の個数を、その分少なくすることができる。これにより、装置本体２０を形成するための金型のスライド数を低減することができ、コスト削減に資することができる。
【００５４】
本発明の別の態様に係る照明装置においては、前記少なくとも１つの取付部材の移動を規制する前記第１移動規制部は、前記少なくとも１つの取付部材の前記挿入方向側への移動は許容し、前記少なくとも１つの取付部材以外の前記取付部材の移動を規制する前記第１移動規制部は、前記少なくとも１つの取付部材以外の前記取付部材の前記挿入方向側への移動を規制してもよい。
【００５５】
これにより、第２移動規制部により挿入方向側への抜け止めが成されていない取付部材については、第１移動規制部により挿入方向側への移動が規制され、抜け止めが成される。
本発明の別の態様に係る照明装置においては、前記装置本体に取り付けられた光源としての発光部をさらに備え、前記第２移動規制部は、前記発光部を発光させるための電力を前記発光部に供給する電源ユニットであってもよい。
【００５６】
これにより、発光部に電力を供給する電源ユニットを第２移動規制部として利用するため、第２移動規制部として別部材を用いなくてよく、部品点数の増加を抑制してコスト抑制に資することができる。
本発明の別の態様に係る照明装置においては、前記装置本体は、前記挿入方向側の端部に開口を有し、前記第２移動規制部は、前記開口を封口する板状の天板部材であってもよい。
【００５７】
これにより、装置本体の開口を封口する天板部材を第２移動規制部として利用するため、第２移動規制部として別部材を用いなくてよく、部品点数の増加を抑制してコスト抑制に資することができる。
本発明の別の態様に係る照明装置においては、前記取付部材は、前記第１移動規制部に接触して直接移動が規制される取付片部を有し、前記取付片部は、前記第１移動規制部により移動が規制された状態において、前記挿入方向側に位置する幅広部分と、前記幅広部分の前記挿入方向とは反対側に隣接し、前記幅広部分よりも幅の狭い幅細部分とから成り、
前記第１移動規制部は、前記筒状部の筒軸に沿った方向に長尺な一対のレール部材から成り、前記一対のレール部材は、前記側周面から外方に延出し、前記筒状部の周方向に互いに間隔を開けて対向配置された一対の側壁部分と、前記一対の側壁部分それぞれの先端から前記筒状部の周方向に沿って互いに近づく方向に延出する前壁部分とから成り、前記前壁部分の厚みは、前記挿入方向側の領域においては、前記側壁部分の前記側周面から外方に延出する方向における長さよりも小さく、前記前壁部分と前記側周面との間の隙間により溝部分が形成されており、前記挿入方向とは反対側の領域においては、前記側壁部分の前記側周面から外方に延出する方向における長さと同じであり、前記前壁部分と、前記側周面と、前記側壁部分とが一体化して前記溝部分との境目部分に溝底を形成しており、前記溝部分内に前記幅広部分の両側縁部が位置した状態で、前記側壁部分は、前記幅広部分の前記両側縁部に前記周方向側からと接触して、前記取付部材の前記周方向の移動を規制し、前記前壁部分は、前記幅広部分の前記両側縁部に前記側周面の外方側から接触して、前記取付部材の前記側周面から外方に離れる方向の移動を規制し、前記溝底は、前記幅広部分と前記幅細部分との境目の段差である肩部分に前記挿入方向とは反対側から接触して、前記取付部材の前記挿入方向とは反対側への移動を規制してもよい。
【００５８】
このように、第１移動規制部材が筒状部の筒軸に沿った方向に長尺な一対のレール部材から成るため、第１移動規制部材を、金型を用いて容易に形成することができる。
本発明の別の態様に係る照明装置においては、前記取付部材は、前記取付片部分の前記挿入方向とは反対側に連設され、前記側周面から外方に離れる方向に延出するアーム部を有し、前記アーム部は、前記取付片部に連設されている部分である連設領域を中心にして前記取付片部に対して近接する方向および遠ざかる方向に変位可能であり、前記取付片部に近接する状態においては、前記取付片部から遠ざかる方向に付勢されていてもよい。
【００５９】
これにより、造営材に設けられた埋め込み孔に挿入された際に、アーム部が埋め込み孔の側面または造営材の裏面に押し付けられ、摩擦力により照明装置の造営材への取り付けをより安定したものにすることができる。
本発明の別の態様に係る照明装置においては、前記取付部材は、板バネであってもよい。
【００６０】
これにより、取付部材に板バネという汎用の部材を用いることができるため、製造が容易でコスト抑制に資することができる。
本発明の別の態様に係る照明装置においては、前記取付部材は、ワイヤーを湾曲または屈曲させて形成されていてもよい。
これによっても、取付部材をワイヤーという汎用の部材を用いて形成することができるため、製造が容易でコスト抑制に資することができる。
【００６１】
本発明の別の態様に係る照明装置においては、前記取付片部および前記アーム部は、剛性を有する板状の部材から成り、前記アーム部は、前記連設領域を中心にして回動可能に前記取付片部に連設されており、前記取付部材は、前記アーム部が前記取付片部に近接する状態において、前記アーム部を前記取付片部から遠ざかる方向に付勢する付勢部材を有してもよい。
【００６２】
取付片部およびアーム部に剛性を有する部材を用いることにより、取付片部およびアーム部の変形による弾性力の低下を防ぐことができ、その結果、造営材に照明装置をより安定して取り付けることができる。
本発明の別の態様に係る照明装置においては、前記筒状部の前記挿入方向とは反対側の端部において前記側周面から径外方向に延設されたフランジ部を有し、前記アーム部が前記取付片部に近接した状態で前記埋め込み孔に挿入された場合に、前記フランジ部は、前記造営材のおもて面に接し、前記アーム部は、前記造営材の内部において前記付勢により前記取付片部から遠ざかる方向へと回動して前記造営材の裏面または前記埋め込み孔の側面に接していてもよい。
【００６３】
これにより、造営材に照明装置をより安定して取り付けることができる。
以上で説明した実施形態は、いずれも本発明の好ましい一具体例を示すものである。実施形態で示される数値、形状、材料、構成要素、構成要素の配置位置及び接続形態、工程、工程の順序などは一例であり、本発明を限定する主旨ではない。また、実施形態における構成要素のうち、本発明の最上位概念を示す独立請求項に記載されていない構成要素については、より好ましい形態を構成する任意の構成要素として説明される。
【００６４】
また、発明を理解しやすく説明するために、上記各実施形態で挙げた各図の構成要素の縮尺は実際のものと異なる場合がある。上記示した各図は模式図であり、必ずしも厳密に図示したものではない。
本発明は上記各実施形態の記載によって限定されるものではなく、本発明の要旨を逸脱しない範囲において適宜変更可能である。例えば、実施形態１および２に係る照明装置の部分的な構成および上記各変形例に係る構成を、適宜組み合わせてなる照明装置であっても良い。
【符号の説明】
【００６５】
１  天井（造営材）
１ａ  埋め込み孔
１ｂ  おもて面
１ｃ  裏面
１ｄ  側面（埋め込み孔の側面）
１０  発光部
２０  装置本体
２１  筒状部
２１ｅ  側周面
２２  前端（挿入方向とは反対側の端部）
２３  フランジ部
２４，２４ａ，２４ｂ  取付部材取付部（第１移動規制部）
２４ａ１，２４ａ２，２４ｂ１，２４ｂ２  レール部材
２４ａ１ａ，２４ａ２ａ  側壁部分
２４ａ１ａ１，２４ａ２ａ１  先端
２４ａ１ｂ，２４ａ２ｂ  前壁部分
２４ａ１ｃ，２４ａ２ｃ，２４ｂ１ｃ，２４ｂ２ｃ  溝部分
２４ａ１ｄ，２４ｂ２ｄ  溝底
２５  後端（挿入方向側の端部）
２５ａ  開口
３０，３０ａ，３０ｂ  取付部材
３１ａ，３１ｂ  取付片部
３１ａ１，３１ｂ１  幅広部分
３１ａ１ａ，３１ｂ１ａ  側縁部
３１ａ２，３１ｂ２  幅細部分
３１ａ３，３１ｂ３  肩部分
３１ａ４  後端（挿入方向側の端部）
３２ａ，３２ｂ  アーム部
３３ａ，３３ｂ  連設部分
４０  電源ユニット（第２移動規制部）
５０，２５０  天板部材（第２移動規制部）
１００  照明装置
Ｊ  筒軸
【図１】
2014212004.tif 000003
【図２】
2014212004.tif 000004
【図３】
2014212004.tif 000005
【図４】
2014212004.tif 000006
【図５】
2014212004.tif 000007
【図６】
2014212004.tif 000008
【図７】
2014212004.tif 000009
【図８】
2014212004.tif 000010
【図９】
2014212004.tif 000011